【事件の表示】
　特許第３０５２９５４号「電気的接続構造及び液晶装置」の請求項１及び２に係る特許に対する特許異議の申立てについて、次のとおり決定する。
【結　論】
　訂正を認める。
　特許第３０５２９５４号の請求項１ないし２に係る特許を取り消す。
【理　由】
１．手続の経緯
　特許第３０５２９５４号（以下、「本件特許」という。）の請求項１及び２に係る発明についての出願は、昭和６０年１１月８日に出願された実用新案登録出願（実願昭６０−１７１８５８号）を、特許法第４６条第１項の規定に基づく特許出願（特願平４−１５９４４３号）に変更し、この特許出願の一部を、特許法第４４条第１項の規定による新たな特許出願（特願平７−３１５６４９号）とし、この新たな特許出願の一部を、特許法第４４条第１項の規定による新たな特許出願（特願平８−２６６０９５号）とし、この新たな特許出願の一部を、特許法第４４条第１項の規定による新たな特許出願（特願平９−２９４０４２号）とし、この新たな特許出願の一部を、更に特許法第４４条第１項の規定による新たな特許出願（特願平１１−４３９２９号）として、平成１１年２月２２日に出願したものであって、平成１２年４月７日にその特許権の設定登録がなされた。
　その後、特許異議申立人森崎由紀子より、請求項１及び２に係る特許について特許異議の申立てがなされたので、当審において当該申立ての理由を検討の上、請求項１及び２に係る特許について取消しの理由を通知し、その指定期間内である平成１３年５月２９日に特許異議意見書と訂正請求書が提出された。
　
２．訂正の適否についての判断
２−１．訂正の内容
訂正事項ａ
　特許請求の範囲の請求項１中の、
「端子部を有する基板とを、」を「端子部を有し前記フレキシブルプリント基板とは熱膨張係数が異なる基板とを、」と訂正し、
「圧着によって」を「熱圧着によって」と訂正し、
「同数個」を「複数個かつ同数個」と訂正する。
　
訂正事項ｂ
　特許請求の範囲の請求項２中の、
「端子部を有する液晶パネルの基板とを、」を「端子部を有し前記フレキシブルプリント基板とは熱膨張係数が異なる液晶パネルの基板とを、」と訂正し、
「圧着によって」を「熱圧着によって」と訂正し、
「同数個」を「複数個かつ同数個」と訂正する。
　
訂正事項ｃ
　段落【０００４】中の、
「端子部を有する基板とを、」を「端子部を有し前記フレキシブルプリント基板とは熱膨張係数が異なる基板とを、」と訂正し、
「圧着によって」を「熱圧着によって」と訂正し、
「同数個」を「複数個かつ同数個」と訂正する。
　
訂正事項ｄ
　段落【０００５】中の、
「端子部を有する液晶パネルの基板とを、」を「端子部を有し前記フレキシブルプリント基板とは熱膨張係数が異なる液晶パネルの基板とを、」と訂正し、
「圧着によって」を「熱圧着によって」と訂正し、
「同数個」を「複数個かつ同数個」と訂正する。
　
訂正事項ｅ
　段落【００１３】中の、
「各外側同数個」を「各外側に複数個かつ同数個」と訂正する。
　
２−２．訂正の目的の適否、新規事項の有無、及び拡張又は変更の存否
　上記訂正事項ａ及びｂは、本件特許発明の構成に欠くことのできない事項である「端子部を有する基板」、「端子部を有する液晶パネルの基板」、「圧着」及び「同数個」という事項を、これに含まれる事項である「端子部を有し前記フレキシブルプリント基板とは熱膨張係数が異なる基板」、「端子部を有し前記フレキシブルプリント基板とは熱膨張係数が異なる液晶パネルの基板」、「熱圧着」及び「複数個かつ同数個」という事項に限定するものであって、しかも、これらの事項は、願書に添付された明細書の段落【０００７】、【０００８】、及び【００１３】、並びに、図面の【図１】〜【図３】に記載されている。
　したがって、上記訂正事項ａ及びｂに係る訂正は、特許請求の範囲の減縮を目的とした明細書の訂正に該当し、新規事項の追加に該当せず、実質的に特許請求の範囲を拡張又は変更するものではない。
　また、上記訂正事項ｃ〜ｅは、上記訂正事項ａ及びｂとの整合を図るものであって、それらの事項は、上記のように、願書に添付された明細書及び図面に記載されているから、上記訂正事項ｃ〜ｅに係る訂正は、明りょうでない記載の釈明を目的とした明細書の訂正に該当し、新規事項の追加に該当せず、実質的に特許請求の範囲を拡張又は変更するものではない。
　
２−３．訂正の認容
　以上から、上記訂正は、特許法第１２０条の４第２項第１号及び第３号に掲げる事項を目的とするものであって、特許法第１２０条の４第３項において準用され、特許法の一部を改正する法律（平成６年法律第１１６号）附則第６条第１項の規定によりなお従前の例によるとされたことにより適用される平成６年法律第１１６号による改正前の特許法第１２６条第１項ただし書及び第２項の規定に適合するので、当該訂正を認める。
　
３．特許異議申立てについて
３−１．本件特許発明
　上記２．で示したように上記訂正が認められるから、本件特許の請求項１及び２に係る発明は、上記訂正に係る訂正明細書の特許請求の範囲の請求項１及び２に記載された、以下のとおりのものと認める。
「【請求項１】　端子部を有するフレキシブルプリント基板と、端子部を有し前記フレキシブルプリント基板とは熱膨張係数が異なる基板とを、両端子部を対向させ異方性導電膜を介して熱圧着によって電気的接続してなる電気的接続構造であって、前記フレキシブルプリント基板の端子部には、前記フレキシブルプリント基板の端子部と前記基板の端子部との電気的接続に寄与しないダミー端子が、当該端子部における有効接続端子部の両外側に配置され、かつ、前記ダミー端子は、各前記外側にそれぞれ複数個かつ同数個配置されていることを特徴とする電気的接続構造。
　【請求項２】　端子部を有するフレキシブルプリント基板と、端子部を有し前記フレキシブルプリント基板とは熱膨張係数が異なる液晶パネルの基板とを、両端子部を対向させ異方性導電膜を介して熱圧着によって電気的接続してなる液晶装置であって、前記フレキシブルプリント基板の端子部には、前記フレキシブルプリント基板の端子部と前記液晶パネルの基板の端子部との電気的接続に寄与しないダミー端子が、当該端子部における有効接続端子部の両外側に配置され、かつ、前記ダミー端子は、各前記外側にそれぞれ複数個かつ同数個配置されていることを特徴とする液晶装置。」
　
３−２．先願明細書の記載事項
　当審で通知した取消しの理由で引用した、本件特許の遡及する出願日（昭和６０年１１月８日）より前の出願であって、本件特許の遡及する出願後に出願公開された特願昭６０−１５８０５４号（特開昭６２−２０３９６号、甲第５号証参照）の願書に最初に添付した明細書及び図面（以下、「先願明細書」という。）には、以下の（ア）〜（カ）の事項が記載されている。
　すなわち、「電子機器」の、「［発明が解決しようとする問題点］」について、
（ア）「符号７，８はそれぞれ導電性接着剤９の導電フィラー及びバインダを示している。」（先願明細書に係る公開公報第１頁右下欄第１４〜１６行）
（イ）「下ガラス板１２には液晶に対して表示電圧を加えるための透明電極による回路パターンが形成されている。従って、プリント基板１５と下ガラス板１２の回路パターンどうしを、導電性接着剤９により接着する。・・・ダンパー２０を介して・・・加熱加圧を行なうと、バインダ８は熱と圧力により収縮し、導電フィラー７が回路パターン８ａ，８ｃと回路パターン２２の両者に接触し、パターンどうしが導通状態となる。」（上記公報第２頁左上欄第１８行〜右上欄第１５行）
（ウ）「ところが、プリント基板１５及び下ガラス板１２の端部ではパターンが存在しないので、ダンパー１２の圧力によりプリント基板１５が下ガラス板１２と接触するまで変形し、未硬化状態のバインダ８は・・・流れ出してしまう。その結果・・・端部は殆どバインダが残っておらず、接着されていない。また、わずかに残っていたバインダ８により接着されていた部分がはがれてしまい、弾性を有するプリント基板１５の復帰力により凝集破壊を起してしまう。従って回路パターン８ｃと２２の間の接着力は非常に不安定になる。」（上記公報第２頁右上欄第１６行〜左下欄第８行）
　また、「［実施例］」について、
（エ）「液晶表示器１とプリント基板１５は導電性接着剤９によって接着されている。」（上記公報第３頁左上欄第９〜１１行）
（オ）「プリント基板１５’の端部の回路パターンの配置を第４図に示す。プリント基板１５’には液晶表示器１と接続するための回路パターン８ａ，８ｃが設けられている。プリント基板１５’の端部には、回路パターン８ａ，８ｃとほぼ同様の形状を有するダミーのパターン２３が形成されている。このパターン２３は接着力を安定させるために設けるもので、回路には接続されない。」（上記公報第３頁左上欄第１９行〜右上欄第６行）
（カ）「熱板１９により加熱及び加圧を行なうと、プリント基板１５’の端部にはダミーのパターン２３が形成されているので、プリント基板１５’の端部は・・・弾性変形せず、ほぼ全般にわたって均一に圧縮される。このため端部のバインダ８は、従来のように・・・流れ出すことがなく、端部領域においてプリント基板１５’と下ガラス板１２の間に残留する。
　このため、・・・端部領域に充分な導電性接着剤が残っているので、・・・基板の端に近い回路パターン１ｃは、確実に液晶表示器１の回路パターンと接着する。」（上記公報第３頁第右上欄第１１行〜左下欄第６行）
と記載されている。
　
３−３．対比及び判断
３−３−１．本件特許の請求項１に係る発明について
　本件特許の請求項１に係る発明と先願明細書に記載された事項とを対比すると、先願明細書記載の「下ガラス板１２」は、「回路パターン」を有しているから、本件特許の請求項１に係る発明の「基板」に相当する。また、先願明細書記載の「プリント基板１５’」は、上記（イ）及び（ウ）の「プリント基板１５」と材質等を異にすると考えるべき理由はない。そして、上記（イ）及び（ウ）の「プリント基板１５」は、押圧による変形や、弾性による復帰力という性質を有しているところからみて、フレキシブルプリント基板をも含むものであるといえるから、先願明細書記載の「プリント基板１５’」は、フレキシブルプリント基板をも含むものであって、本件特許の請求項１に係る発明の「フレキシブルプリント基板」に相当する。また、先願明細書記載の「回路パターン２２」と「回路パターン８ａ，８ｂ，８ｃ」とは、相互に接続を行う部分であるから、本件特許の請求項１に係る発明において、各基板に設けられた「端子部」に相当しており、したがって、「回路には接続されない」「ダミーのパターン２３」は、本件特許の請求項１に係る発明でいう「ダミー端子」に相当する。そして、先願明細書記載の上記（ア）及び（イ）の「導電性接着剤９」は、その記載からみて、異方性導電膜を形成しているということができる。また、先願明細書記載の「加熱及び加圧」による接続が、本件特許の請求項１に係る発明の「熱圧着」に相当することは、明らかである。
　以上から、先願明細書には、
”端子部（回路パターン）を有するフレキシブルプリント基板（プリント基板）と、端子部（回路パターン）を有する基板（下ガラス板）とを、両端子部を対向させ異方性導電膜（導線性接着剤）を介して熱圧着（加熱及び加圧）によって電気的接続してなる電気的接続構造であって、前記フレキシブルプリント基板の端子部には、前記フレキシブルプリント基板の端子部と前記基板の端子部との電気的接続に寄与しないダミー端子（ダミーのパターン）が、当該端子部における有効接続端子部の外側に配置されている電気的接続構造”の発明（以下、「先願発明」という）が記載されていると認められ、この点では本件特許の請求項１に係る発明と対比して明らかに一致するといえるが、以下の点で一応相違するところが認められる。
　＜一応相違する点＞
　本件特許の請求項１に係る発明では、フレキシブルプリント基板とこれに接続する基板との「熱膨張係数が異なる」とされ、また、ダミー端子は「複数個かつ同数個」とされるのに対して、先願明細書には、上記「熱膨張係数」に関する言及はなく、ダミー端子は、第１図において、一方の側に１つ設ける例しか示されていない点。
　
　そこで、先ず、上記「熱膨張係数」について検討すると、先願明細書でいう基板は、上記（カ）にあるようにガラス板であって、その素材であるガラスと、フレキシブルプリント基板の素材である樹脂の熱膨張係数は、常識的には相違するものである。そうすると、先願明細書に、このような常識的技術事項に関する言及がないことをもって、先願発明と本件特許の請求項１に係る発明との実質的な相違点とみることは適切ではない。
　次に、ダミー端子の個数について検討すると、先願発明において、ダミー端子（「ダミーのパターン」）を設ける目的は、上記（カ）にあるように、熱圧着を均一に行い、基板の「端部領域に充分な導電性接着剤が残」るようにすることによって、結局のところ、上記（オ）にあるように、プリント基板の「接着力を安定させる」ことにある。
　そうすると、先願発明におけるダミー端子の具体的な配置の数は、「プリント基板」の「下ガラス板」に対する「接着力を安定させる」という技術思想を、基板の面積や、端子（パターン）の巾の大きさ等に応じて具体化する際の単なる設計事項というべきであって、当該配置の数が１つだけに限定されると考えるべき必然的な理由はないし、しかも、先願明細書に明示的記載はないが、プリント基板の端部領域にダミー端子を設けることによって、当該端部領域の補強を図れることは明らかであって、ダミー端子を複数個設けることは、先願発明が実質上開示している当然の設計事項ともいえる。
　また、先願発明において、基板の端部における接着力の安定化や、基板の端部における補強を考慮するにあたり、その端部としての左右両側に、差異を設けるべき特段の事情があるわけではないから、当該基板の左右両側に「同数個」のダミー端子を設けるように設定することは、通常採用される常識的な配置の態様にすぎない。
　したがって、ダミー端子の配置や個数に関して上記一応相違するとした点は、先願発明が実質上開示しているところの明示の有無に帰着し、両発明間における実質的な相違点とはいえない。
　
５−２．本件特許請求の範囲の請求項２に係る発明について
　次に、本件特許の請求項２に係る発明と、先願明細書記載の発明とを対比すると、先願明細書には、上記の一致点で指摘した電気的接続構造をもつ液晶表示装置についても言及されているから、両発明は、上記＜一応相違する点＞で一応相違し、その他の点で一致している。そして、上記のとおり、上記一応相違する点は、実質的な相違点とはいえない。
　
６．むすび
　以上のとおりであるから、本件特許の請求項１及び２に係る発明は、いずれも、先願明細書に記載された発明と同一であり、しかも、本件特許の請求項１及び２に係る発明の発明者が、先願明細書に記載された発明の発明者と同一であると認められず、また、本件特許の遡及する出願時に、その出願人が上記先願の出願人と同一であるとも認められないから、本件特許の請求項１及び２に係る発明についての特許は、特許法第２９条の２の規定に基づいて拒絶の査定をしなければならない特許出願に対してされたことになる。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年８月６日（２００１．８．６）
【訂正の要旨】
訂正の要旨
訂正事項ａ
　特許請求の範囲の請求項１中の、
「端子部を有する基板とを、」、「圧着によって」及び「同数個」を、特許請求の範囲の減縮を目的として、「端子部を有し前記フレキシブルプリント基板とは熱膨張係数が異なる基板とを、」、「熱圧着によって」及び「複数個かつ同数個」と、それぞれ訂正する。
訂正事項ｂ
　特許請求の範囲の請求項２中の、
「端子部を有する液晶パネルの基板とを、」、「圧着によって」及び「同数個」を、特許請求の範囲の減縮を目的として、「端子部を有し前記フレキシブルプリント基板とは熱膨張係数が異なる液晶パネルの基板とを、」、「熱圧着によって」及び「複数個かつ同数個」と、それぞれ訂正する。
訂正事項ｃ
　段落【０００４】中の、
「端子部を有する基板とを、」、「圧着によって」及び「同数個」を、明りょうでない記載の釈明を目的として、「端子部を有し前記フレキシブルプリント基板とは熱膨張係数が異なる基板とを、」、「熱圧着によって」及び「複数個かつ同数個」と、それぞれ訂正する。
訂正事項ｄ
　段落【０００５】中の、
「端子部を有する液晶パネルの基板とを、」、「圧着によって」及び「同数個」を、明りょうでない記載の釈明を目的として、「端子部を有し前記フレキシブルプリント基板とは熱膨張係数が異なる液晶パネルの基板とを、」、「熱圧着によって」及び「複数個かつ同数個」と、それぞれ訂正する。
訂正事項ｅ
　段落【００１３】中の、
「各外側同数個」を、明りょうでない記載の釈明を目的として、「各外側に複数個かつ同数個」と訂正する。
（５４）【発明の名称】
電気的接続構造及び液晶装置
（５７）【特許請求の範囲】
　【請求項１】　端子部を有するフレキシブルプリント基板と、端子部を有し前記フレキシブルプリント基板とは熱膨張係数が異なる基板とを、両端子部を対向させ異方性導電膜を介して熱圧着によって電気的接続してなる電気的接続構造であって、前記フレキシブルプリント基板の端子部には、前記フレキシブルプリント基板の端子部と前記基板の端子部との電気的接続に寄与しないダミー端子が、当該端子部における有効接続端子部の両外側に配置され、かつ、前記ダミー端子は、各前記外側にそれぞれ複数個かつ同数個配置されていることを特徴とする電気的接続構造。
　【請求項２】　端子部を有するフレキシブルプリント基板と、端子部を有し前記フレキシブルプリント基板とは熱膨張係数が異なる液晶パネルの基板とを、両端子部を対向させ異方性導電膜を介して熱圧着によって電気的接続してなる液晶装置であって、前記フレキシブルプリント基板の端子部には、前記フレキシブルプリント基板の端子部と前記液晶パネルの基板の端子部との電気的接続に寄与しないダミー端子が、当該端子部における有効接続端子部の両外側に配置され、かつ、前記ダミー端子は、各前記外側にそれぞれ複数個かつ同数個配置されていることを特徴とする液晶装置。
【発明の詳細な説明】
　【０００１】
　【発明の属する技術分野】
　本発明は特に高密度、多端子のＬＣＤパネル実装等に利用するフレキシブルプリント基板（以下ＦＰＣと略す）の電気的接続構造及び液晶装置に関するものである。
　【０００２】
　【従来の技術】
　従来、ＦＰＣの接続端子群は液晶パネルの外部回路との接続用の端子取出部と相対向して形成され、電気的接続がなされていた。
　【０００３】
　【発明が解決しようとする課題】
　従来のＦＰＣは全端子が有効接続端子として使用されていたため、ＦＰＣのベースフィルムと例えばガラス基板の熱膨張係数の違いによる応力が生じた場合、最外端の接続端子が断線を起こし、即座に欠陥を引き起こしてしまう欠点があった。そこで、本発明では応力等による断線を防止し、接続信頼性の高いＦＰＣ及び液晶表示装置を得ることを目的としている。
　【０００４】
　【課題を解決するための手段】
　本発明の電気的接続構造は、端子部を有するフレキシブルプリント基板と、端子部を有し前記フレキシブルプリント基板とは熱膨張係数が異なる基板とを、両端子部を対向させ異方性導電膜を介して熱圧着によって電気的接続してなる電気的接続構造であって、前記フレキシブルプリント基板の端子部には、前記フレキシブルプリント基板の端子部と前記基板の端子部との電気的接続に寄与しないダミー端子が、当該端子部における有効接続端子部の両外側に配置され、かつ、前記ダミー端子は、各前記外側にそれぞれ複数個かつ同数個配置されていることを特徴とする。
　【０００５】
　また、本発明の液晶装置は、端子部を有するフレキシブルプリント基板と、端子部を有し前記フレキシブルプリント基板とは熱膨張係数が異なる基板とを、両端子部を対向させ異方性導電膜を介して熱圧着によって電気的接続してなる液晶装置であって、前記フレキシブルプリント基板の端子部には、前記フレキシブルプリント基板の端子部と前記液晶パネルの基板の端子部との電気的接続に寄与しないダミー端子が、当該端子部における有効接続端子部の両外側に配置され、かつ、前記ダミー端子は、各前記外側にそれぞれ複数個かつ同数個配置されていることを特徴とする。
　【０００６】
　【発明の実施の形態】
　〔実施例〕
　本発明を図面に基づいて説明すると図１はＦＰＣベースフィルム側からみたものであり、図２はその断面図である。１は液晶パネル端子取出部、２は異方性導電膜、３はベースフィルム、４は有効接続端子、５はダミー端子である。
　【０００７】
　このようにダミー端子５を設けた場合には、ベースフィルム３と液晶パネル端子取出部の熱膨張係数の違いによりせん断応力が生じても、最外端のダミー端子５に負荷がかかり内側の有効接続端子４には負荷がかからない。また、補強部材であるダミー端子を有効接続端子と同一材質としたことにより、工程を増やすことなく容易に補強ができる。その上、材質の違いによるストレスの影響を最小にできるという効果を有している。
　【０００８】
　図３は圧着時における効果を説明する図であり、ヒーターヘッド６により熱圧着される状態を示している。ヒーターヘッド６の平坦度が理論的平面で平行に押された場合には、端部、中央部共に同一であると考えられるが、ヒーターヘッド６が熱変形で凹面となる場合では端部端子に応力が集中して電気的安定接続を難しくする。このような場合でもダミー端子５ａ，５ｂ，５ｃが存在すれば内部の有効接続端子４は電気的安定接続を保てる。したがって、有効接続端子部の外側両端部も中心部と同じような接続が可能になり、有効接続端子部の全面において圧着均一性が増大するという効果を有する。
　【０００９】
　図４はダミー端子５ａ，５ｂ，５ｃの代わりにＦＰＣ上のレジスト材７で同様の機能を持たせたものである。
　【００１０】
　図５の実装構造はＬＳＩチップ８をＡｎ−Ｓｎ共晶等でＦＰＣに接続し、有効接続端子４と液晶パネルの端子取出部１とを異方性導電膜２を介して電気的接続を行った構造である。
　【００１１】
　図６の実装構造は図５での方法を更に高密度にした方法であり、液晶パネル端子取出部１上にＬＳＩチップ８を搭載したＦＰＣを異方性導電膜を介して電気的接続を行った構造である。
　【００１２】
　図５、図６の実装構造は多端子、多チップで１台の製品となるため、接続端子の外側両端部の安定接続により累乗的に歩留まりが良くなることになる。
　【００１３】
　【発明の効果】
　以上説明したように、ＦＰＣの接続端子群の有効接続端子部の外側両端部で、かつ、各外側に複数個かつ同数個ずつダミー端子を配置したことにより、基板同士の熱膨張係数の違いにより生じる外側両端部での電気的オープンを防止し、接続信頼性の高い電気的接続構造が得られる。また、有効接続端子部の外側両端も中心部と同じような接続が可能であり、均一な接続強度を有し、有効接続端子部の全面において圧着均一性が増大するという効果を有している。
　【００１４】
　したがって、ＦＰＣを大型化、多端子化した時等に生じる熱膨張係数の違いによる応力による不良を低減できる。また、機械的剥離力に対しても強く、信頼性の高い電気的接続が可能である。
【図面の簡単な説明】
　【図１】本発明のベースフィルム側から見た図。
　【図２】本発明の実施例の断面図。
　【図３】本発明の圧着工程図。
　【図４】本発明のダミー端子５をレジスト材７に置き換えた図。
　【図５】本発明の他の実施例を示す図。
　【図６】本発明の他の実施例を示す図。
　【符号の説明】
　１．液晶パネル端子取出部
　２．異方性導電膜
　３．ベースフィルム
　４．有効接続端子
　５．ダミー端子
　６．ヒーターヘッド
　７．レジスト材
　８．ＬＳＩチップ